(57)【特許請求の範囲】
【請求項１】
ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の周壁の周方向複数箇所の各々に、筒軸芯方向の圧入開口側に開口するスリットを形成して、スリットの隣接間に位置する周壁部分が、ボルトの頭部又はナットに対する外嵌圧入に連れて径方向外方に弾性変形可能に構成されているとともに、前記スリットが、ボルトの頭部の角数又はナットの角数に相当する数を一組として、該各スリットにボルトの頭部の各角部又はナットの各角部が係入可能に筒軸芯方向に沿って形成されているとともに、前記スリットの形成数が前記一組のスリットの数の整数倍に構成されている防食用金具。
【請求項２】
ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の周壁の周方向複数箇所の各々に、筒軸芯方向の圧入開口側に開口するスリットを形成して、スリットの隣接間に位置する周壁部分が、ボルトの頭部又はナットに対する外嵌圧入に連れて径方向外方に弾性変形可能に構成されているとともに、前記防食筒体の周壁のうち、筒軸芯方向の前記圧入開口側とは反対側が、他の防食用金具の防食筒体を筒軸芯方向から外嵌圧入可能な嵌合部に構成されている防食用金具。
【請求項３】
ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の周壁の周方向複数箇所の各々に、筒軸芯方向の圧入開口側に開口するスリットを形成して、スリットの隣接間に位置する周壁部分が、ボルトの頭部又はナットに対する外嵌圧入に連れて径方向外方に弾性変形可能に構成されているとともに、前記防食筒体内には、該防食筒体を外嵌圧入したナットから突出するボルトのネジ軸部が入り込み可能な空間が形成されている防食用金具。
【請求項４】
ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の周壁の周方向複数箇所の各々に、筒軸芯方向の圧入開口側に開口するスリットを形成して、スリットの隣接間に位置する周壁部分が、ボルトの頭部又はナットに対する外嵌圧入に連れて径方向外方に弾性変形可能に構成されているとともに、前記防食筒体の筒軸芯方向の前記圧入開口側とは反対側に底壁が一体形成され、この底壁の内面には、ナットから突出するボルトのネジ軸部の前記防食筒体外への突出を許容する貫通孔を現出するための環状の破断誘導用溝が形成されている防食用金具。
【請求項５】
ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の内周面に、ボルトの頭部の各角部又はナットの各角部が係入可能な溝が、筒軸芯方向の圧入開口側から筒軸芯方向に沿って形成されているとともに、前記溝の形成数が、ボルトの頭部の角数又はナットの角数に相当する溝の数を一組として複数組を構成する数に構成され、前記溝の径方向での深さを各組毎に異ならせて構成されている防食用金具。
【請求項６】
ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の内周面に、ボルトの頭部の各角部又はナットの各角部が係入可能な溝が、筒軸芯方向の圧入開口側から筒軸芯方向に沿って形成されているとともに、前記防食筒体の周壁のうち、筒軸芯方向の前記圧入開口側とは反対側が、他の防食用金具の防食筒体を筒軸芯方向から外嵌圧入可能な嵌合部に構成されている防食用金具。
【請求項７】
ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の内周面に、ボルトの頭部の各角部又はナットの各角部が係入可能な溝が、筒軸芯方向の圧入開口側から筒軸芯方向に沿って形成されているとともに、前記防食筒体内には、該防食筒体を外嵌圧入したナットから突出するボルトのネジ軸部が入り込み可能な空間が形成されている防食用金具。
【請求項８】
ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の内周面に、ボルトの頭部の各角部又はナットの各角部が係入可能な溝が、筒軸芯方向の圧入開口側から筒軸芯方向に沿って形成されているとともに、前記防食筒体の筒軸芯方向の前記圧入開口側とは反対側に底壁が一体形成され、この底壁の内面には、ナットから突出するボルトのネジ軸部の前記防食筒体外への突出を許容する貫通孔を現出するための環状の破断誘導用溝が形成されている防食用金具。
【発明の詳細な説明】
【０００１】
【発明の属する技術分野】
本発明は、海水や土壌等の電解質媒体と接触することにより腐食し易い金属製のボルト又はナットの腐食を防止する防食用金具に関し、詳しくは、ボルトの頭部又はナットに対してボルト軸芯方向から外嵌圧入可能で、かつ、ボルト又はナットを構成する金属よりもイオン化傾向の大きい低電位な金属から製作された防食筒体を備えた防食用金具に関する。
【０００２】
【従来の技術】
この種の防食用金具としては、従来、六角ボルトの頭部に対してボルト軸芯方向から打ち込むことにより外嵌圧入される前記防食筒体を備えたキャップ状のものが提案されている（例えば、実開昭５８−１２２７３号公報参照）。
【０００３】
この従来の防食用金具は、例え、六角ボルトの頭部の表面に絶縁塗料が塗布してある場合でも、この六角ボルトの頭部に対して防食筒体を外嵌圧入する時の該防食筒体の内周面と六角ボルトの頭部との摺接により前記絶縁塗料を剥離して、六角ボルトに対する防食筒体の電気的通電状態を確保することができ、その結果、外嵌圧入された防食筒体を犠牲陽極として六角ボルトの腐食を抑制することができる。
また、前記防食筒体を前記六角ボルトの頭部に外嵌圧入するに当たっては、該頭部のボルト軸芯方向での大きさ、つまりボルト軸芯を中心とする対角間の寸法に対して防食筒体の内周面の内径に製作誤差があると、ボルト軸芯と筒軸芯との芯合わせを行っても六角ボルトの頭部に防食筒体の筒軸芯方向の圧入開口側端面が接当して、この防食筒体を頭部に上手く外嵌圧入することができなかったり、或いは、六角ボルトの頭部の外周面と防食筒体の内周面との間に隙間ができて、防食筒体が頭部から簡単に抜け落ちてしまうという問題が生じるが、このような問題は、従来より、防食筒体の内周面を、筒軸芯方向の圧入開口側ほど大径となるテーパー面に形成して、防食筒体の内周面の内径に、筒軸芯方向で幅を持たせることにより解決している。
【０００４】
【発明が解決しようとする課題】
しかしながら、前記六角ボルトの頭部のボルト軸芯方向での大きさにも寸法公差があり、この寸法公差をも、前記防食筒体のテーパー面により吸収することができるようにしようとすれば、前記テーパー面の筒軸芯に対する傾斜角度を更に大きくするか、或いは、前記テーパー面の筒軸芯方向での長さを長くして、防食筒体の内周面の内径に、軸芯方向で更に大きな幅を持たせることが考えられるが、テーパー面の筒軸芯に対する傾斜角度を大きくすると、それだけ、六角ボルトの頭部に対して防食筒体を打ち込む際の圧入抵抗が増大し、その結果、防食筒体を六角ボルトの頭部に取り付け難くなる問題があった。
また、前記テーパー面の筒軸芯方向への長さを長くすると、防食筒体の筒軸芯方向に沿う長さも長くなり、防食用金具の筒軸芯方向への長大化を招来し易い問題があった。
【０００５】
本発明は、上記の実状に鑑みて為されたものであって、その主たる課題は、防食筒体の構造を工夫することにより、防食筒体の内周面の内径の製作誤差、並びに、ボルトの頭部又はナットの寸法公差を共に吸収することができるものでありながら、ボルトの頭部又はナットに対する取り付け易さを確保できるとともに、筒軸芯方向での長大化を抑制することができる防食用金具を提供する点にある。
【０００６】
【課題を解決するための手段】
本発明では、ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具において、
前記防食筒体の周壁の周方向複数箇所の各々に、筒軸芯方向の圧入開口側に開口するスリットを形成して、スリットの隣接間に位置する周壁部分を、ボルトの頭部又はナットに対する外嵌圧入に連れて径方向外方に弾性変形可能に構成してもよい。
上記構成によれば、ボルトの頭部又はナットのボルト軸芯方向での大きさに対する防食筒体の内周面の内径の製作誤差は、防食筒体の内周面を、筒軸芯方向の圧入開口側ほど大径となるテーパー面に形成して、防食筒体の内周面の内径に、筒軸芯方向で幅を持たせることにより吸収することができ、かつ、ボルトの頭部又はナットのボルト軸芯方向視での大きさの寸法公差は、ボルトの頭部又はナットに対して防食筒体をボルト軸芯方向から外嵌圧入したときのスリットの隣接間に位置する周壁部分の径方向外方への弾性変形により吸収することができるから、防食筒体の内周面の内径の製作誤差、並びに、ボルトの頭部又はナットの寸法公差を共に吸収するために、テーパー面の筒軸芯に対する傾斜角度を大きくしたり、或いは、テーパー面の筒軸芯方向での長さを長くしたりする必要が殆どない。
それ故に、防食筒体の内周面の内径の製作誤差、並びに、ボルトの頭部又はナットの寸法公差を共に吸収することができるものでありながら、ボルトの頭部又はナットに対して防食筒体を外嵌圧入する際の圧入抵抗の増大と、防食筒体の筒軸芯方向への長大化とを抑制でき、その結果、ボルトの頭部又はナットに対する取り付け易さを確保できるとともに、筒軸芯方向での長大化を抑制することができる。
更に、前記防食筒体の径方向外方に弾性変形された周壁部分の弾性復元力は、ボルトの頭部又はナットからの防食筒体の抜止め抵抗力として、ボルトの頭部又はナットに対して作用するから、防食筒体をボルトの頭部又はナットに外嵌圧入した状態では、周壁部分の弾性復元力により防食筒体を長期間に亘って確実に保持することができる。
【０００７】
本発明の防食用金具では、前記スリットが、ボルトの頭部の角数又はナットの角数に相当する数を一組として、該各スリットにボルトの頭部の各角部又はナットの各角部が係入可能に筒軸芯方向に沿って形成されているとともに、前記スリットの形成数が前記一組のスリットの数の整数倍に構成されていてもよい。
上記構成によれば、前記ボルトの頭部の各角部又はナットの各角部を、一組のスリットの各々に入り込ませることができ、これにより、ボルトの頭部又はナットのボルト軸芯方向視での大きさの寸法公差を、前記スリットの隣接間に位置する周壁部分の径方向外方への弾性変形のみならず、各スリットへのボルトの頭部の各角部又はナットの各角部の入り込みでも吸収することができるから、更に大きな寸法公差にも対応することができる。
【０００８】
本発明では、ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具において、
前記防食筒体の内周面に、ボルトの頭部の各角部又はナットの各角部が係入可能な溝が、筒軸芯方向の圧入開口側から筒軸芯方向に沿って形成されていてもよい。
上記構成によれば、ボルトの頭部又はナットのボルト軸芯方向での大きさに対する防食筒体の内周面の内径の製作誤差は、防食筒体の内周面を、筒軸芯方向の圧入開口側ほど大径となるテーパー面に形成して、防食筒体の内周面の内径に、筒軸芯方向で幅を持たせることにより吸収することができ、かつ、ボルトの頭部又はナットのボルト軸芯方向視での大きさの寸法公差は、ボルトの頭部の各角部又はナットの各角部を選択的に防食筒体のテーパー面又は溝に対応させることにより吸収することができるから、防食筒体の内周面の内径の製作誤差、並びに、ボルトの頭部又はナットの寸法公差を共に吸収するために、テーパー面の筒軸芯に対する傾斜角度を大きくしたり、或いは、テーパー面の筒軸芯方向での長さを長くしたりする必要が殆どない。
それ故に、防食筒体の内周面の内径の製作誤差、並びに、ボルトの頭部又はナットの寸法公差を共に吸収することができるものでありながら、ボルトの頭部又はナットに対して防食筒体を外嵌圧入する際の圧入抵抗の増大と、防食筒体の筒軸芯方向への長大化とを抑制でき、その結果、ボルトの頭部又はナットに対する取り付け易さを確保できるとともに、筒軸芯方向での長大化を抑制することができる。
【０００９】
本発明の防食用金具では、前記溝の形成数が、ボルトの頭部の角数又はナットの角数に相当する溝の数を一組として複数組を構成する数に構成されているとともに、前記溝の径方向での深さを各組毎に異ならせて構成されていてもよい。
上記構成によれば、ボルトの頭部の各角部又はナットの各角部を溝に係入する場合、ボルトの頭部又はナットのボルト軸芯方向視での大きさに応じて、複数組の溝のうち、最適な深さの溝の組を選択することにより、寸法公差によるボルトの頭部又はナットに対する防食筒体の取り付け易さのバラツキを抑制することができる。
【００１０】
本発明の防食用金具では、前記防食筒体の周壁のうち、筒軸芯方向の前記圧入開口側とは反対側が、他の防食用金具の防食筒体を筒軸芯方向から外嵌圧入可能な嵌合部に構成されていてもよい。
上記構成によれば、ボルトの頭部又はナットに対する取付けスペースに余裕がある場合、前記嵌合部に対して他の防食用金具の防食筒体を筒軸芯方向から外嵌圧入して連結し、これら連結された複数の防食用金具を一つの犠牲陽極とすることにより、海水や土壌等の電解質媒体に対する犠牲陽極の接触面積を増大して、犠牲陽極としての寿命の長期化を図ることができる。
【００１１】
本発明の防食用金具では、前記防食筒体内に、該防食筒体を外嵌圧入したナットから突出するボルトのネジ軸部が入り込み可能な空間が形成されていてもよい。
上記構成によれば、前記防食筒体をナットに外嵌圧入することにより、前記ナットから突出するボルトのネジ軸部のうち、少なくとも、前記空間内に位置する部分のネジ山が、他物との衝突により圧壊されることを防食筒体にて抑制することができる。
また、本発明の防食用金具では、前記防食筒体の筒軸芯方向の前記圧入開口側とは反対側に底壁が一体形成されているとともに、この底壁の内面には、ナットから突出するネジ軸部の前記防食筒体外への突出を許容する貫通孔を現出するための環状の破断誘導用溝が形成されていてもよい。
上記構成によれば、前記防食筒体の筒軸芯方向の前記圧入開口側とは反対側に底壁を一体形成することにより、例えば、筒軸芯方向の両端が開口する防食筒体に比して、保管時における他物との衝突による防食筒体の変形を抑制することができるとともに、前記底壁を破断誘導用溝に沿って切断除去することにより、前記ナットから突出するネジ軸部の長さに拘らず、前記防食筒体をナットに対して外嵌圧入することができる。
【００１２】
そして、本発明の請求項１による防食用金具の特徴構成は、ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の周壁の周方向複数箇所の各々に、筒軸芯方向の圧入開口側に開口するスリットを形成して、スリットの隣接間に位置する周壁部分が、ボルトの頭部又はナットに対する外嵌圧入に連れて径方向外方に弾性変形可能に構成されているとともに、前記スリットが、ボルトの頭部の角数又はナットの角数に相当する数を一組として、該各スリットにボルトの頭部の各角部又はナットの各角部が係入可能に筒軸芯方向に沿って形成されているとともに、前記スリットの形成数が前記一組のスリットの数の整数倍に構成されている点にある。
本発明の請求項２による防食用金具の特徴構成は、ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の周壁の周方向複数箇所の各々に、筒軸芯方向の圧入開口側に開口するスリットを形成して、スリットの隣接間に位置する周壁部分が、ボルトの頭部又はナットに対する外嵌圧入に連れて径方向外方に弾性変形可能に構成されているとともに、前記防食筒体の周壁のうち、筒軸芯方向の前記圧入開口側とは反対側が、他の防食用金具の防食筒体を筒軸芯方向から外嵌圧入可能な嵌合部に構成されている点にある。
本発明の請求項３による防食用金具の特徴構成は、ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の周壁の周方向複数箇所の各々に、筒軸芯方向の圧入開口側に開口するスリットを形成して、スリットの隣接間に位置する周壁部分が、ボルトの頭部又はナットに対する外嵌圧入に連れて径方向外方に弾性変形可能に構成されているとともに、前記防食筒体内には、該防食筒体を外嵌圧入したナットから突出するボルトのネジ軸部が入り込み可能な空間が形成されている点にある。
本発明の請求項４による防食用金具の特徴構成は、ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の周壁の周方向複数箇所の各々に、筒軸芯方向の圧入開口側に開口するスリットを形成して、スリットの隣接間に位置する周壁部分が、ボルトの頭部又はナットに対する外嵌圧入に連れて径方向外方に弾性変形可能に構成されているとともに、前記防食筒体の筒軸芯方向の前記圧入開口側とは反対側に底壁が一体形成され、この底壁の内面には、ナットから突出するボルトのネジ軸部の前記防食筒体外への突出を許容する貫通孔を現出するための環状の破断誘導用溝が形成されている点にある。
本発明の請求項５による防食用金具の特徴構成は、ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の内周面に、ボルトの頭部の各角部又はナットの各角部が係入可能な溝が、筒軸芯方向の圧入開口側から筒軸芯方向に沿って形成されているとともに、前記溝の形成数が、ボルトの頭部の角数又はナットの角数に相当する溝の数を一組として複数組を構成する数に構成され、前記溝の径方向での深さを各組毎に異ならせて構成されている点にある。
本発明の請求項６による防食用金具の特徴構成は、ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の内周面に、ボルトの頭部の各角部又はナットの各角部が係入可能な溝が、筒軸芯方向の圧入開口側から筒軸芯方向に沿って形成されているとともに、前記防食筒体の周壁のうち、筒軸芯方向の前記圧入開口側とは反対側が、他の防食用金具の防食筒体を筒軸芯方向から外嵌圧入可能な嵌合部に構成されている点にある。
本発明の請求項７による防食用金具の特徴構成は、ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の内周面に、ボルトの頭部の各角部又はナットの各角部が係入可能な溝が、筒軸芯方向の圧入開口側から筒軸芯方向に沿って形成されているとともに、前記防食筒体内には、該防食筒体を外嵌圧入したナットから突出するボルトのネジ軸部が入り込み可能な空間が形成されている点にある。
本発明の請求項８による防食用金具の特徴構成は、ボルトの頭部又はナットに対してボルト軸芯方向から外嵌圧入可能で、かつ、ボルト又はナットを構成する金属よりもイオン化傾向の大きい低電位な金属から製作された防食筒体の内周面を、筒軸芯方向の圧入開口側ほど大径となるテーパー面に形成してある防食用金具であって、
前記防食筒体の内周面に、ボルトの頭部の各角部又はナットの各角部が係入可能な溝が、筒軸芯方向の圧入開口側から筒軸芯方向に沿って形成されているとともに、前記防食筒体の筒軸芯方向の前記圧入開口側とは反対側に底壁が一体形成され、この底壁の内面には、ナットから突出するボルトのネジ軸部の前記防食筒体外への突出を許容する貫通孔を現出するための環状の破断誘導用溝が形成されている点にある。
【００１３】
【発明の実施の形態】
図２〜図５は、例えば、図１に示すように、地中に埋設される一対の水道管１のフランジ２同士を接続した状態で、電解質媒体としての土壌に接触することにより腐食し易い金属製のボルト及びナットの一例である六角ボルト３及び六角ナット４を各別に防食する本発明の防食用金具Ａの第１実施形態を示し、前記六角ボルト３の頭部３Ａ又は六角ナット４に対してボルト軸芯方向から外嵌圧入可能で、かつ、六角ボルト３又は六角ナット４を構成する金属よりもイオン化傾向の大きい低電位な金属から製作された防食筒体５の内周面５ａを、筒軸芯Ｘ方向の一端側である圧入開口側ほど大径となるテーパー面に形成してあるとともに、前記防食筒体５の周壁５Ａの周方向複数箇所の各々に、筒軸芯Ｘ方向の圧入開口側に開口するスリット６を形成してある。
前記防食筒体５の周壁５Ａのうち、前記スリット６の隣接間に位置する周壁部分５Ｂは、防食筒体５を筒軸芯Ｘ方向の圧入開口側から六角ボルト３の頭部３Ａ又は六角ナット４に外嵌圧入するに連れて、弾性復元力に抗して径方向外方に弾性変形するように構成してある。
当該第１実施形態では、前記六角ボルト３及び六角ナット４は共に鋳鉄製であり、前記防食筒体５は、六角ボルト３及び六角ナット４を構成する鉄よりもイオン化傾向の大きい低電位な亜鉛又は亜鉛合金から製作してあるとともに、前記テーパー面の筒軸芯Ｘに対する傾斜角度は約２度に構成してある。
【００１４】
前記防食筒体５は、図３に示すように、該防食筒体５の筒軸芯Ｘ方向の圧入開口側を六角ボルト３の頭部３Ａ又は六角ナット４に沿わせた状態で、ボルト軸芯方向外方から打ち込むことにより、六角ボルト３の頭部３Ａ又は六角ナット４に対して外嵌圧入される。
詳しくは、前記六角ボルト３の頭部３Ａ又は六角ナット４は、前記防食筒体５内のうち、筒軸芯Ｘ方向でスリット６形成範囲内に外嵌圧入される。
【００１５】
図３と図５に示すように、前記防食筒体５の周壁５Ａのうち、筒軸芯Ｘ方向の他端側である圧入開口部とは反対側は、他の防食用金具Ａの防食筒体５を筒軸芯Ｘ方向から外嵌圧入可能な嵌合部７に形成してあるとともに、この防食筒体５の筒軸芯Ｘ方向の他端側に底壁５Ｃを一体形成してある。
詳しくは、図２の（ロ）に示すように、前記嵌合部７の筒軸芯Ｘ方向視での外形は、ボルト軸芯方向視における六角ボルト３の頭部３Ａ又は六角ナット４の外形と同一形状、つまり六角形状に形成してあり、かつ、他の防食用金具Ａの防食筒体５を筒軸芯Ｘ方向から外嵌圧入可能な寸法に構成してある。
【００１６】
図３に示すように、前記嵌合部７の内径は、スリット６の形成部分の内径よりも小さく、かつ、六角ボルト３のネジ軸部３Ｂの呼び径Ｌよりも大に構成してあり、図３の（ロ）に示すように、六角ナット４に防食筒体５を外嵌圧入したとき、前記防食筒体５内のうち、当該防食筒体５の周壁５Ａと底壁５Ｃと六角ナット４とで囲まれた空間を、六角ナット４から突出する六角ボルト３のネジ軸部３Ｂが入り込み可能な空間Ｓに形成してある。
【００１７】
更に、図３に示すように、前記底壁５Ｃの内面には、六角ナット４に防食筒体５を外嵌圧入したとき、六角ナット４から突出する六角ボルト３のネジ軸部３Ｂの防食筒体５外への突出を許容する貫通孔８を現出するための環状の破断誘導用溝９を形成してある。
つまり、図３の（ハ）に示すように、六角ナット４に防食筒体５を外嵌圧入したとき、六角ナット４から突出する六角ボルト３のネジ軸部３Ｂの長さが、防食筒体５内に収まらない長さである場合、六角ナット４に防食筒体５を外嵌圧入する前に、前記底壁５Ｃのうちの破断誘導用溝９に囲まれた部分５ｃを該破断誘導用溝９に沿って打ち破り、前記貫通孔８を現出させた状態で、六角ナット４に防食筒体５を外嵌圧入することにより、六角ナット４から突出する六角ボルト３のネジ軸部３Ｂを、防食筒体５の外に突出させることができる。
【００１８】
次に、前記防食筒体５に形成されたスリット群について説明すると、図２の（ハ）と、図４とに示すように、前記防食筒体５に対してスリット６は、六角ボルト３の頭部３Ａの角数又は六角ナット４の角数に相当する数を一組として、ボルト軸芯に筒軸芯Ｘを合致させた状態で各スリット６に六角ボルト３の頭部３Ａの各角部３ａ又は六角ナット４の各角部４ａが係入可能に筒軸芯Ｘ方向に沿って形成してあるとともに、前記スリット６の形成数を前記一組のスリット６の数の整数倍（当該実施形態では１倍）に構成してある。尚、六角ボルト３の頭部３Ａの角数又は六角ナット４の角数とは、ボルト軸芯方向視での六角ボルト３の頭部３Ａの形状又はボルト軸芯方向視での六角ナット４の形状において現れる角部の数である。
詳しくは、当該第１実施形態では、六角ボルト３の頭部３Ａの各角部３ａ又は六角ナット４の各角部４ａが係入するスリット６を、防食筒体５の周壁部の周方向６箇所に等間隔を隔てて形成してある。
【００１９】
このように構成された防食用金具Ａは、図４に示すように、六角ボルト３の頭部３Ａ又は六角ナット４に対して防食筒体５を、六角ボルト３の頭部３Ａ又は六角ナット４のボルト軸芯方向視での大きさ、つまりボルト軸芯を中心とする対角間の寸法に応じて、六角ボルト３の頭部３Ａの各角部又は六角ナット４の各角部が、前記スリット６の隣接間に位置する周壁部分５Ｂの内周面に沿う状態（六角ボルト３の頭部３Ａ又は六角ナット４を実線で示す状態）と、六角ボルト３の頭部３Ａの各角部又は六角ナット４の各角部が、一組のスリット６の各々に入り込む状態（六角ボルト３の頭部３Ａ又は六角ナット４を二点鎖線で示す状態）とのいずれかの状態で外嵌圧入することができ、この外嵌圧入に連れてスリット６の隣接間に位置する周壁部分５Ｂが径方向外方に弾性変形する。
【００２０】
尚、前記六角ボルト３の頭部３Ａの表面又は六角ナット４の表面に絶縁塗料が塗布してある場合、この六角ボルト３の頭部３Ａ又は六角ナット４に対して防食筒体５をボルト軸芯方向から外嵌圧入する時の該防食筒体５と六角ボルト３の頭部３Ａ又は六角ナット４との摺接により前記絶縁塗料が剥離され、これにより六角ボルト３又は六角ナット４に対する防食筒体５の電気的通電状態を確保することができる。
【００２１】
〔第２実施形態〕
図６は、前記第１実施形態の防食用金具Ａの別実施形態を示し、前記スリット６を、筒軸芯Ｘ方向の圧入開口側ほど防食筒体５の周壁５Ａの周方向に沿う開口幅が大となるように形成してある。
尚、当該実施形態では、前記スリット６の開口縁のうち、周方向で対向する開口縁の一方を筒軸芯Ｘ方向に沿う姿勢に形成するとともに、他方を筒軸芯Ｘに対して傾斜する姿勢に形成してある。
その他の構成は前記第１実施形態と同一であり、第１実施形態で記載した構成部分と同一構成又は同一機能を有する構成部分には同一番号を付記してそれの説明を省略する。
【００２２】
〔第３実施形態〕
図７は、前記第１実施形態の防食用金具Ａの別実施形態を示し、前記嵌合部７及び底壁５Ｃが形成されていない防食筒体５に、前記スリット６のみを形成して実施してもよい。
その他の構成は前記第１実施形態と同一であり、第１実施形態で記載した構成部分と同一構成又は同一機能を有する構成部分には同一番号を付記してそれの説明を省略する。
【００２３】
〔第４実施形態〕
図８は、前記第３実施形態の防食用金具Ａの別実施形態を示し、前記防食筒体５の外周面のうち、防食筒体５の周壁５Ａのうち、スリット６よりも筒軸芯Ｘ方向の他端側である圧入開口部とは反対側に位置する外周面部分を径方向外方に膨出形成してもよい。
その他の構成は前記第１実施形態と同一であり、第３実施形態で記載した構成部分と同一構成又は同一機能を有する構成部分には同一番号を付記してそれの説明を省略する。
【００２４】
〔第５実施形態〕
図９〜図１０は、本発明の防食用金具Ａの第５実施形態を示し、前記六角ボルト３の頭部３Ａ又は六角ナット４に対してボルト軸芯方向から外嵌圧入可能で、かつ、六角ボルト３又は六角ナット４を構成する金属よりもイオン化傾向の大きい低電位な金属から製作された防食筒体５の内周面５ａを、筒軸芯Ｘ方向の一端側である圧入開口側ほど大径となるテーパー面に形成してあるとともに、前記防食筒体５の内周面に、ボルト軸芯に筒軸芯Ｘを合致させた状態で六角ボルト３の頭部３Ａの各角部又は六角ナット４の各角部が係入可能な径方向での深さが同じ溝１０が、筒軸芯Ｘ方向の圧入開口側から筒軸芯Ｘ方向に沿って形成してある。
【００２５】
前記防食筒体５は、図１０に示すように、該防食筒体５の筒軸芯Ｘ方向の圧入開口側を六角ボルト３の頭部３Ａ又は六角ナット４に沿わせた状態で、ボルト軸芯方向外方から打ち込むことにより、六角ボルト３の頭部３Ａ又は六角ナット４に対して外嵌圧入される。
【００２６】
図９に示すように、前記防食筒体５の周壁５Ａのうち、筒軸芯Ｘ方向の他端側である圧入開口部とは反対側は、他の防食用金具Ａの防食筒体５を筒軸芯Ｘ方向から外嵌圧入可能な嵌合部７に形成してあるとともに、この防食筒体５の筒軸芯Ｘ方向の他端側に底壁５Ｃを一体形成してある。
詳しくは、図９の（ロ）に示すように、前記嵌合部７の筒軸芯Ｘ方向視での外形は、ボルト軸芯方向視における六角ボルト３の頭部３Ａ又は六角ナット４の外形と同一形状、つまり六角形状に形成してあり、かつ、他の防食用金具Ａの防食筒体５を筒軸芯Ｘ方向から外嵌圧入可能な寸法に構成してある。
【００２７】
図１０に示すように、前記嵌合部７の内径は、溝１０の形成部分の内径よりも小さく、かつ、六角ボルト３のネジ軸部３Ｂの呼び径Ｌよりも大に構成してあり、六角ナット４に防食筒体５を外嵌圧入したとき、前記防食筒体５内のうち、当該防食筒体５の周壁５Ａと底壁５Ｃと六角ナット４とで囲まれた空間を、六角ナット４から突出する六角ボルト３のネジ軸部３Ｂが入り込み可能な空間Ｓに形成してある。
【００２８】
更に、図９の（ハ）に示すように、前記底壁５Ｃの内面には、六角ナット４に防食筒体５を外嵌圧入したとき、六角ナット４から突出する六角ボルト３のネジ軸部３Ｂの防食筒体５外への突出を許容する貫通孔８を現出するための環状の破断誘導用溝９を形成してある。
つまり、図示しないが、六角ナット４に防食筒体５を外嵌圧入したとき、六角ナット４から突出する六角ボルト３のネジ軸部３Ｂの長さが、防食筒体５内に収まらない長さである場合、六角ナット４に防食筒体５を外嵌圧入する前に、前記底壁５Ｃのうちの破断誘導用溝９に囲まれた部分５ｃを該破断誘導用溝９に沿って打ち破り、前記貫通孔８を現出させた状態で、六角ナット４に防食筒体５を外嵌圧入することにより、六角ナット４から突出する六角ボルト３のネジ軸部３Ｂを、防食筒体５の外に突出させることができる。
【００２９】
次に、前記防食筒体５に形成された溝群について説明すると、図９の（ニ）に示すように、前記防食筒体５に対して溝１０は、六角ボルト３の頭部３Ａの角数又は六角ナット４の角数に相当する数を一組として、ボルト軸芯に筒軸芯Ｘを合致させた状態で各溝１０に六角ボルト３の頭部３Ａの各角部３ａ又は六角ナット４の各角部４ａが係入可能に筒軸芯Ｘ方向に沿って形成してあるとともに、前記溝１０の形成数を前記一組のスリット６の数の整数倍（当該第５実施形態では２倍）に構成してある。尚、六角ボルト３の頭部３Ａの角数又は六角ナット４の角数とは、ボルト軸芯方向視での六角ボルト３の頭部３Ａの形状又はボルト軸芯方向視での六角ナット４の形状において現れる角部の数である。
詳しくは、当該第５実施形態では、六角ボルト３の頭部３Ａの各角部３ａ又は六角ナット４の各角部４ａが係入する溝１０を、防食筒体５の周壁５Ａの周方向１２箇所に等間隔を隔てて形成してある。
【００３０】
このように構成された防食用金具Ａは、図９の（ニ）に示すように、六角ボルト３の頭部３Ａ又は六角ナット４に対して防食筒体５を、六角ボルト３の頭部３Ａ又は六角ナット４のボルト軸芯方向視での大きさ、つまりボルト軸芯を中心とする対角間の寸法に応じて、六角ボルト３の頭部３Ａの各角部又は六角ナット４の各角部が、前記溝１０の隣接間に位置する周壁部分５Ｂの内周面に沿う状態（六角ボルト３の頭部３Ａ又は六角ナット４を実線で示す状態）と、六角ボルト３の頭部３Ａの各角部又は六角ナット４の各角部が、一組の溝１０の各々に入り込む状態（六角ボルト３の頭部３Ａ又は六角ナット４を二点鎖線で示す状態）とのいずれかの状態で外嵌圧入することができる。
【００３１】
尚、前記六角ボルト３の頭部３Ａの表面又は六角ナット４の表面に絶縁塗料が塗布してある場合、この六角ボルト３の頭部３Ａ又は六角ナット４に対して防食筒体５をボルト軸芯方向から外嵌圧入する時の該防食筒体５と六角ボルト３の頭部３Ａ又は六角ナット４との摺接により前記絶縁塗料が剥離され、これにより六角ボルト３又は六角ナット４に対する防食筒体５の電気的通電状態を確保することができる。
【００３２】
〔第６実施形態〕
図１１は、前記第５実施形態の防食用金具の別実施形態を示し、前記溝１０の形成数を、六角ボルト３の頭部３Ａの角数又は六角ナット４の角数に相当する溝１０の数を一組として複数組を構成する数に構成するとともに、前記溝１０の径方向での深さを各組毎に異ならせてある。
詳しくは、当該第６実施形態では、前記溝１０の形成数を、６つを一組として二組構成して１２とし、一方の組の溝１０の径方向での深さを、他方の溝の１０よりも大に構成してある。
その他の構成は前記第５実施形態と同一であり、第５実施形態で記載した構成部分と同一構成又は同一機能を有する構成部分には同一番号を付記してそれの説明を省略する。
【００３３】
〔第７実施形態〕
図１２は、前記第５実施形態の防食用金具の別実施形態を示し、前記溝１０の形成数を、六角ボルト３の頭部３Ａの角数又は六角ナット４の角数に相当する溝１０の数を一組として複数組を構成する数に構成するとともに、前記溝１０の周方向での幅と径方向での深さとを各組毎に異ならせてある。
つまり、前記溝１０の各組毎に、溝１０の周方向での幅と径方向での深さとを、六角ボルト３の頭部３Ａ又は六角ナット４の各角部が係入したとき、この六角ボルト３の頭部３Ａ又は六角ナット４の周面に溝１０の周方向で対向する出角部が押圧接当する寸法に構成してあり、大きい六角ボルト３の頭部３Ａ又は六角ナット４の各角部が係入する溝１０の組ほど、その溝１０の径方向での深さを大に構成してある。
詳しくは、当該第７実施形態では、前記溝１０の形成数を、６つを一組として二組構成して１２とし、一方の組の溝１０の周方向での幅と径方向での深さとを、他方の組の溝１０よりも大に構成してある。
その他の構成は前記第５実施形態と同一であり、第５実施形態で記載した構成部分と同一構成又は同一機能を有する構成部分には同一番号を付記してそれの説明を省略する。
【００３４】
〔その他の実施形態〕
▲１▼  前記各実施形態では、ボルト３として六角ボルトを例示し、また、ナット４として六角ナットを例示したが、これに限定されるものでなく、例えば、ボルト３としては四角ボルトであってもよく、また、ナット４としては四角ナットであってもよい。この場合、前記一組のスリット群におけるスリット６の数、又は、一組の溝群における溝１０の数は共に４つとなる。
▲２▼  前記各実施形態では、前記ボルト３及びナット４を鋳鉄から構成し、前記防食筒体５を、鉄よりもイオン化傾向の大きい低電位な亜鉛又は亜鉛合金から製作したが、防食筒体５の材質としては、外嵌圧入するボルト３又はナット４を構成する金属よりもイオン化傾向の大きい低電位な金属であるならば適宜変更してもよい。
▲３▼  前記各実施形態では、前記防食筒体５の周壁５Ａのうち、筒軸芯Ｘ方向の前記圧入開口側とは反対側を、他の防食用金具Ａの防食筒体５を筒軸芯Ｘ方向から外嵌圧入可能な嵌合部７に構成したが、防食筒体５の筒軸芯Ｘ方向の前記圧入開口側とは反対側端部に、他の防食用金具Ａの防食筒体５を筒軸芯Ｘ方向から外嵌圧入可能で、かつ、防食筒体５と同じ金属からなる嵌合部７を一体的に設けて実施してもよい。
【図面の簡単な説明】
【図１】本発明の第１実施形態の防食用金具の装着方法を示す側面図
【図２】（イ）は防食用金具の正面図、（ロ）は防食用金具の平面図、（ハ）は防食用金具の水平断面図
【図３】（イ）はボルトの頭部に防食用金具を外嵌圧入した状態の正面部分断面図、（ロ）はナットに防食用金具を外嵌圧入した状態の正面部分断面図、（ハ）は貫通孔を現出した状態でナットに防食用金具を外嵌圧入した状態の正面部分断面図
【図４】ボルトの頭部又はナットを防食用金具を外嵌圧入した状態の水平断面図
【図５】防食用金具を連結した状態の正面部分断面図
【図６】本発明の第２実施形態の防食用金具を示し、（イ）は正面図、（ロ）は水平断面図
【図７】本発明の第３実施形態の防食用金具を示し、（イ）は一部切り欠き正面図、（ロ）は水平断面図
【図８】本発明の第４実施形態の防食用金具を示し、（イ）は一部切り欠き正面図、（ロ）は水平断面図
【図９】本発明の第５実施形態の防食用金具を示し、（イ）は正面図、（ロ）は平面図、（ハ）は正面断面図、（ニ）は水平断面図
【図１０】防食用金具を連結した状態の正面部分断面図
【図１１】本発明の第６実施形態の防食用金具の水平断面図
【図１２】本発明の第７実施形態の防食用金具の水平断面図
【符号の説明】
３    ボルト
３Ａ  頭部
３Ｂ  ネジ軸部
３ａ  角部
４    ナット
４ａ  角部
５    防食筒体
５Ａ  周壁
５Ｂ  周壁部分
５Ｃ  底壁
５ａ  内周面
６    スリット
７    嵌合部
８    貫通孔
９    破断誘導用溝
１０  溝
Ａ    防食用金具
Ｓ    空間
Ｘ    筒軸芯
【図１】
0004114986.tif 000002
【図２】
0004114986.tif 000003
【図３】
0004114986.tif 000004
【図４】
0004114986.tif 000005
【図５】
0004114986.tif 000006
【図６】
0004114986.tif 000007
【図７】
0004114986.tif 000008
【図８】
0004114986.tif 000009
【図９】
0004114986.tif 000010
【図１０】
0004114986.tif 000011
【図１１】
0004114986.tif 000012
【図１２】
0004114986.tif 000013